(57)【要約】      （修正有）【課題】スリッパ使用時における足からの離脱を防止するためのスリッパ用着脱型保持ベルトを提供する。【解決手段】その両端に、スリッパに固定するための保持クリップ４を有する主ベルト１を設け、主ベルトに副ベルト２１、２２の一部を固定し、副ベルト両端を相互係止するための係止手段２３、２４を設けたことを特徴とする。【選択図】図１
0003196030.tif 000002
【実用新案登録請求の範囲】
【請求項１】
その両端に、スリッパに固定するための保持クリップを有する主ベルトを設け、該主ベルトに副ベルトの一部を固定し、副ベルト両端を相互係止するための係止手段を設けたことを特徴とするスリッパ用着脱型足保持ベルト。
【請求項２】
主ベルトの一部を伸縮可能に構成してなる請求項１記載のスリッパ用着脱型足保持ベルト。
【請求項３】
係止手段を面ファスナーとしてなる請求項１または２記載のスリッパ用着脱型足保持ベルト。
【請求項４】
副ベルトの主ベルトに対する固定において、固定にて別れる右片と左片の長さを違えたものとした請求項１〜３のいずれかの項に記載のスリッパ用着脱型足保持ベルト。
【考案の詳細な説明】
【技術分野】
【０００１】  この考案は、市販のスリッパに装着して用いる足保持のためのベルトに関する。
【背景技術】
【０００２】  従来より、スリッパは多用されており、足先を挿入して用いるものであるが、このスリッパに装着して足の保持を可能とするための用具は現在のところ見当たらない。
【考案の概要】
【考案が解決しようとする課題】
【０００３】  従来より、スリッパは足底形状に近似の中底を設けて、この中底先端部から中程にかけて足先の挿入が可能なように覆帯部を中底と一体に形成したものであって、主に屋内用に使用される簡易型の履き物である。使用時には、この覆帯部内に足先を挿入して足先ですくい上げるように歩行する。しかし、何らかの拍子に足先からこのスリッパが脱落することがあり、このような場合にはそのスリッパ内に足先を再挿入しなければならず、とりわけ歩行に難のある人にとっては困難な作業となる。
本案は以上に鑑み、スリッパに簡単に装着して用いることができるとともに、スリッパに挿入した足首部分を保持することにて、既述のような問題を解消することのできる、新規かつ有用なる手段を提供する事を目的として発案されたものである。
【課題を解決するための手段】
【０００４】  課題を解決する手段として本案は以下の構成とした。
すなわち、その両端に、スリッパに固定するための保持クリップを有する主ベルトを設け、該主ベルトに副ベルトの一部を固定し、副ベルト両端を相互係止するための係止手段を設ける。本案は以上の構成よりなるスリッパ用着脱型足保持ベルトである。
【考案の効果】
【０００５】  本案は下記の効果を有する。
１．スリッパに容易に着脱して用いることができるとともに、布片主体の小物品であるた  め、携帯性に優れている。
２．主ベルトを伸縮可能とすることで、使用時の足へのフィット感を良好とすることがで  きる。
３．副ベルトにて足首を巻回保持するので、スリッパ使用時における足からの脱落を阻止  することができる。
４．副ベルトの係止部分を足首側方位置とすることで、使用時の違和感を極小とすること  ができる。
【図面の簡単な説明】
【０００６】
【図１】  本考案の平面図
【図２】  本考案の正面図
【図３】  本考案の要部拡大図
【図４】  本考案の装着状態図
【図５】  本考案の使用状態図
【考案を実施するための最良の形態】
【０００７】  以下、本考案の実施形態について説明する。
図において、１は布製の主ベルトである。この主ベルトは、中央部２と伸縮部３を一体に形成したものである。中央部は正面視においてその中央をやや幅広に左右に向かうにつれて次第に巾狭となる小布体である。この中央部の左右には伸縮部が縫着される。
伸縮部は、中央部２に市販の平ゴム（図示略）の一端を縫着し、他端は後述の保持クリップ４に巻回縫着して、この平ゴムを所定長の袋状布体にて覆って形成された部分である。
従って、中央部に対し保持クリップは所定範囲内にて移動が可能である。【０００８】  次に、保持クリップについて説明する。本例に用いる保持クリップは市販品である。
１０は主体で、合成樹脂製小板体であり、その側方中央部近傍には一対のアーム部１１が突設されている。主体の前端内面には小突出の円形部が設けられて、この円形部には多数の小突起が形成され、主体側保持部１２となる。また、主体後端には環状の切除部１３が設けられる。１４は可動側保持部で、前記の主体側保持部同様に多数の小突起が形成されている。この可動側保持部には薄板状部分が一体形成されて、主体内面に弾性範囲内にて移動可能に固着されている。
１５は鋼板製の板バネで、可動側保持部外面にその両端が固着され、この可動側保持部を主体に対し離れる方向への付勢力を与えている。１６は前記のアーム部に設けられる軸、１７はこのアーム部に軸支されるレバーである。このレバーの回動にてレバー端が板バネを押圧して可動側保持部を閉方向へ動かし、所定角度に至ればこのレバーはアームに対し閉的にロックされる。【０００９】  ２０は副ベルトである。この副ベルトは、主ベルトに近似巾の布体であるが、その中央近傍適所が主ベルト中央部に縫着されて、平面視において右方を副ベルト右片２１、左方は副ベルト左片２２となる。副ベルト右片外面には面ファスナー雄片２３が、副ベルト左片内側には面ファスナー雌片２４が各々縫着される。
以上が、本案の一実施形態である。【００１０】  次に、本案の使用について説明する。
本案の使用に際しては、まず、保持クリップのレバーを開いて各保持部間をスリッパの覆帯部端部に挿入後、レバーを閉にすると、各保持部間距離は近接状態となり、スリッパ覆帯部に保持クリップは押圧固定される。足先をスリッパの覆帯部に挿入し、主ベルトの中央部がかかと側となって足首後面に軽く接触するようにする。次に副ベルトの固定を行う。副ベルトには各々面ファスナーが縫着されているので、この双方の面ファスナーをあてがって係止させるが、この副ベルトが無理なく足首の前方に来るように、面ファスナーの係止位置を調整して行う。
この状態にて、図５にて示すように、本案ベルトはスリッパに固定されつつ足首の前後をベルトにて保持していることとなり、スリッパの足からの脱落は阻止されて、あたかも靴を履いているかのようなフィット感が得られて、既述のような不便さを解消することができる。また、本案品はスリッパにクリップ装着して用いる小物品のため、その扱いも容易であるとともに、携帯性にも優れたものとなる。【００１１】  以上、本案について記したが、本案はスリッパに装着して、スリッパ使用者の足首部分を保持するところにその特徴を有し、スリッパ使用時における足先の脱落を防止するものである。従来はこのような物品がないために、時折このスリッパが脱落となって難儀な場合があったが、本案にてこれが解消されるものとなったのである。
なお、既例において、中央部を幅広に形成しているので、足首後面を安定保持し、中央部の両端に伸縮部を設けたので、これにて中央部は足首後面に軽く押圧接触して、スリッパに対する足首のふらつきが防止される。また、副ベルト右片は左片より長いために、双片を面ファスナーにて係止した場合に、その係止部は足首側方となって、足への違和感を微少とすることができる。【００１２】  なお、既述の切除部１３は環状であり、これを利用して平ゴムおよび平ゴムを覆う布体を縫着等にて保持クリップに固定することができる。また、面ファスナー雌片を既例では長く設けているので、双方面ファスナーの係止位置を使用者の足形状に即して使用することができる。本案品に用いたクリップは市販品であるが、同様機能を有するものであれば、他形状のクリップを用いてもよい。本案品は一対を用いるものであるが、主部は布体のため、コンパクトにまとめて収納ができる。
以上のごとく、本案によってスリッパ使用時に便利なる物品を提供することができる。
【符号の説明】
【００１３】  １  主ベルト
２  中央部
３  伸縮部
４  保持クリップ
１０  主体
１１  アーム部
１２  主体側保持部
１３  切除部
１４  可動側保持部
１５  板バネ
１６  軸
１７  レバー
２０  副ベルト
２１  副ベルト右片
２２  副ベルト左片
２３  面ファスナー雄片
２４  面ファスナー雌片
３０  中底
３１  覆帯部
【図１】
0003196030.tif 000003
【図２】
0003196030.tif 000004
【図３】
0003196030.tif 000005
【図４】
0003196030.tif 000006
【図５】
0003196030.tif 000007